(57)【要約】【課題】複数の支持ワイヤーの各一端がハンダ付けにより支持固定される支持板とメインプリント基板とを接続するのにフレキシブル基板等の伝送ケーブルを用いることは部品点数及び作業性の面で不利であった。【解決手段】複数の支持ワイヤー５の各一端がハンダ付けにより支持固定される支持板７に、伝送ケーブル９が接続されるメインプリント基板１１に継ぎ合わされる継ぎ手部１４を一体的に形成すると共に、複数の支持ワイヤー５の各一端とに接続される配線パターン８ａ〜８ｄを形成し、メインプリント基板１１及び前記継ぎ手部１４のどちらか一方及び他方に互いに係合される係合部１４ａ及び被係合部１５を形成し、係合部１４ａ及び被係合部１５に互いにハンダ付けされるランド部１６ａ〜１６ｄ及び１７ａ〜１７ｄを形成している。【選択図】図２
2005166137.tif 000002
【特許請求の範囲】
【請求項１】
対物レンズ及び駆動コイルが装着されたレンズホルダーが複数の支持ワイヤーによってアクチュエータベースに対して変位可能に弾性的に支持され、レンズホルダーに装着された駆動コイルを磁気回路により形成される磁界中に配置し、その駆動コイルに所定の支持ワイヤーを介して駆動信号を供給して対物レンズを駆動する対物レンズ駆動装置を備え、この対物レンズ駆動装置を各種光学素子が組み込まれる光学ハウジングに取り付けて構成される光学ヘッド装置であって、光学ハウジングに取り付けられると共に、光学ヘッド装置が搭載される機器本体の回路基板と電気信号の授受を行う為の伝送ケーブルが接続されるメインプリント基板と、前記複数の支持ワイヤーの各一端がハンダ付けにより支持固定され、アクチュエータベースに固定されるプリント基板により構成される支持板とを備え、この支持板には前記メインプリント基板と継ぎ合わされる継ぎ手部が一体的に形成されると共に、前記複数の支持ワイヤーの各一端とに接続される配線パターンが形成され、前記メインプリント基板及び前記継ぎ手部のどちらか一方及び他方には互いに係合される係合部及び被係合部が形成され、前記係合部及び被係合部には互いにハンダ付けされるランド部が形成されることを特徴とする光学ヘッド装置。
【請求項２】
メインプリント基板はトラッキング方向と略直交する光学ハウジングの面に設置され、これによりメインプリント基板と支持板とは互いに略直交に配置される位置関係にあり、メインプリント基板の係合部と支持板の継ぎ手部の被係合部とは厚み方向に交差され、前記係合部及び被係合部の一方は挟み込むようにプリント基板が挿入されるスリットにより形成されることを特徴とする請求項１記載の光学ヘッド装置。
【請求項３】
前記メインプリント基板には半導体レーザーのリード端子がハンダ付け接続され、この半導体レーザーのリード端子が接続されるメインプリント基板のレーザー領域を囲うように一部に連結部を残して貫通溝を形成し、前記レーザー領域とメインプリント基板の伝送ケーブルの接続部分が配置される接続領域とを前記貫通溝を挟んで分離したことを特徴とする請求項１記載の光学ヘッド装置。
【請求項４】
前記メインプリント基板の伝送ケーブルの接続部分は伝送ケーブルの端子部が挿入されるコネクタを設置して形成されることを特徴とする請求項１あるいは請求項３記載の光学ヘッド装置。
【発明の詳細な説明】
【技術分野】
【０００１】
本発明は、対物レンズが装着されるレンズホルダーが複数の支持ワイヤーによって変位可能に弾性的に支持される対物レンズ駆動装置を各種光学素子が組み込まれる光学ハウジングに取り付けて構成される光学ヘッド装置に関し、特に、伝送ケーブルが接続されるメインプリント基板に複数の支持ワイヤーの各一端がハンダ付けにより支持固定される支持板を接続するようにした光学ヘッド装置に関する。
【背景技術】
【０００２】
ディスク等の信号記録媒体に対して光学的に信号の読み取り、あるいは書き込みを行う光学ヘッド装置は、一般に対物レンズ駆動装置を対物レンズを除く各種光学素子が組み込まれる光学ハウジングに取り付けて構成されている。そして、対物レンズ駆動装置は、対物レンズが装着されるレンズホルダーが左右各側にそれぞれ２本か３本の複数の支持ワイヤーによってアクチュエータベースに対して変位可能に弾性的に支持される方式が主流となっている。
【０００３】
このような対物レンズ駆動装置は、レンズホルダーにフォーカシングコイル及びトラッキングコイル等の駆動コイルが装着されると共に、それらの駆動コイルの有効コイル辺が磁気回路により形成される有効磁束内に配置されることにより前記駆動コイルに供給される駆動信号に応じて対物レンズをフォーカス方向及びトラッキング方向等に駆動する構成となっている。
【０００４】
ところで、複数の支持ワイヤーによってレンズホルダーを支持する構成の対物レンズ駆動装置においては、通常、所定の支持ワイヤーを介して各駆動コイルに駆動信号を供給して対物レンズを駆動するようになっており、各支持ワイヤーの各一端がアクチュエータベースに固定されるプリント基板により構成される支持板にハンダ付けにより支持固定されるようになっている。そして、光学ヘッド装置は前記支持板に伝送ケーブルとなるフレキシブル基板を接続し、これによりフレキシブル基板を介して光学ヘッド装置を搭載する機器本体側の回路基板とレンズホルダーに装着された各駆動コイルとを接続している。（特許文献１参照）
また、光学ヘッド装置は、駆動コイルの他に光源となる半導体レーザーや、記録媒体からの読み取り信号、フォーカスエラー信号及びトラッキングエラー信号を生成する各種受光信号を得る光検出器等とも本体機器の回路基板と電気的に接続する必要があるので、これらの光学ヘッド装置の各電気部品に接続されるフレキシブル基板を光学ハウジングに固定されるメインプリント基板に接続し、このメインプリント基板と機器本体側の回路基板とを伝送ケーブルにより接続することにより駆動コイル、半導体レーザー及び光検出器等の光学ヘッド装置の各電気部品をメインプリント基板を経由して機器本体側の回路基板と電気的に接続することが行われている。このようにメインプリント基板を経由して光学ヘッド装置と機器本体側の回路基板と電気的に接続する場合、メインプリント基板に伝送ケーブルの接続端子部分が挿入されるコネクタが用いられる場合も多い。（特許文献２参照）
【特許文献１】実用新案登録第２５２９４３３号公報
【特許文献２】実用新案登録第２５７０２０５号公報
【発明の開示】
【発明が解決しようとする課題】
【０００５】
アクチュエータベースに固定されるプリント基板により構成される支持板に複数の支持ワイヤーの各一端がハンダ付けにより支持固定されるようになっており、この支持板とメ
インプリント基板とを接続するのにフレキシブル基板等の伝送ケーブルを用いることは部品点数及び作業性の面で不利であった。
【０００６】
また、光学ヘッド装置の電気部品とメインプリント基板との接続作業を簡素化するため、あるいは部品点数を削減するためにメインプリント基板に半導体レーザーを直接接続可能とするべくメインプリント基板に半導体レーザーのリード端子をハンダ付けするランドを形成する場合があるが、このような場合、機器本体側の回路基板と接続される伝送ケーブルが光学ヘッド装置のスレッド送りによる移動に伴って変位することによりこの変位に伴って生じる力がメインプリント基板に印加され、半導体レーザーに振動を与える問題があった。
【課題を解決するための手段】
【０００７】
請求項１の発明は、光学ハウジングに取り付けられると共に、光学ヘッド装置が搭載される機器本体の回路基板と電気信号の授受を行う為の伝送ケーブルが接続されるメインプリント基板と、複数の支持ワイヤーの各一端がハンダ付けにより支持固定され、アクチュエータベースに固定されるプリント基板により構成される支持板とを備え、この支持板に前記メインプリント基板と継ぎ合わされる継ぎ手部を一体的に形成すると共に、前記複数の支持ワイヤーの各一端とに接続される配線パターンを形成し、前記メインプリント基板及び前記継ぎ手部のどちらか一方及び他方に互いに係合される係合部及び被係合部を形成し、前記係合部及び被係合部に互いにハンダ付けされるランド部を形成している。
【０００８】
請求項３の発明は、半導体レーザーのリード端子が接続されるメインプリント基板のレーザー領域を囲うように一部を残して貫通溝を形成し、前記レーザー領域とメインプリント基板の伝送ケーブルの接続部分が配置される接続領域とを前記貫通溝を挟んで分離するようにしている。
【発明の効果】
【０００９】
本発明の光学ヘッド装置は、複数の支持ワイヤーの各一端がハンダ付けにより支持固定される支持板にメインプリント基板と継ぎ合わされる配線パターンが形成された継ぎ手部を一体的に形成しており、この継ぎ手部によってメインプリント基板と係合させるようにしているので、支持板とメインプリント基板とを接続するのにフレキシブル基板等の伝送ケーブルを用いる必要が無く、部品点数の削減が図れると共に、作業性を良好に出来る。
【００１０】
この場合、メインプリント基板と支持板とを互いに略直交に配置される位置関係にし、メインプリント基板の係合部と支持板の継ぎ手部の被係合部とを係合部及び被係合部の一方に形成されるスリットにより厚み方向に交差させるようにして係合部及び被係合部にそれぞれ形成される各ランド部のハンダ付けによりメインプリント基板と支持板とが容易に接続出来る。
【００１１】
また、本発明の光学ヘッド装置は、半導体レーザーのリード端子が接続されるメインプリント基板のレーザー領域を囲うように一部に連結部を残して貫通溝を形成し、前記レーザー領域とメインプリント基板の機器本体側の回路基板と接続される伝送ケーブルの接続部分が配置される接続領域とを前記貫通溝を挟んで分離するようにしているので、伝送ケーブルが光学ヘッド装置の移動に伴って変位することによりこの変位に伴ってメインプリント基板に印加される振動が前記貫通溝によって分断され、前記振動による半導体レーザーへの影響を大幅に軽減出来る。
【実施例１】
【００１２】
図１は本発明に係る光学ヘッド装置の組み立て完了状態を示す斜視図、図２は図１に示す光学ヘッド装置の組み立て途中の状態を示す一部展開斜視図である。
【００１３】
これらの図において、１は対物レンズ２を駆動する対物レンズ駆動装置、３は対物レンズ２を除く各種光学素子が組み込まれる光学ハウジングであり、光学ヘッド装置は、光学ハウジング３に対物レンズ駆動装置１を取り付けて構成されている。
【００１４】
対物レンズ駆動装置１は、対物レンズ２が装着されるレンズホルダー４が左右各側にそれぞれ２本の合計４本の支持ワイヤー５によってアクチュエータベース６に対して変位可能に弾性的に支持される構成となっており、前記各支持ワイヤー５は各一端がアクチュエータベース６に固定される支持板７にハンダ付け固定されると共に、各他端がレンズホルダー４の左右両側に突出される対応する突部４ａに接着固定されている。
【００１５】
この場合、前記各支持ワイヤー５は対物レンズ２を挟んでレンズホルダー４の両側にそれぞれ上下２本が配置されて互いに平行に架設される。
【００１６】
本願の要旨でなく周知な事項であるので詳細な説明は省略するが、レンズホルダー４にはフォーカスコイル及びトラッキングコイルが装着されており、これらのフォーカスコイル及びトラッキングコイルの各有効コイル辺を有効磁束内に配置されるようにアクチュエータベース６に磁気回路が形成されている。
【００１７】
その為、フォーカスコイルにフォーカスエラー信号を供給することによりディスク等の記録媒体の信号面に光ビームを合焦させるフォーカス制御が行われるようにレンズホルダー４と共に対物レンズ２が駆動され、トラッキングコイルにトラッキングエラー信号を供給することにより記録媒体の信号トラックに光ビームを追従させるトラッキング制御が行われるようにレンズホルダー４と共に対物レンズ２が駆動される。
【００１８】
ところで、４本の支持ワイヤー５の各一端がハンダ付け固定される支持板７はプリント基板により構成され、この支持板７にはフォーカスエラー信号及びトラッキングエラー信号の正負の各極性に対応した伝送路となる配線パターン８ａ〜８ｄが形成されており、各支持ワイヤー５の各一端は支持板７にハンダ付け固定されることにより対応する配線パターン８ａ〜８ｄの所定の１つとそれぞれ接続される。
【００１９】
また、４本の支持ワイヤー５は各他端側でフォーカスコイル及びトラッキングコイルの各巻回始端及び各巻回終端に所定の１つずつに接続される。その為、支持板７の配線パターン８ａ〜８ｄに正負の各極性のフォーカスエラー信号及びトラッキングエラー信号を供給することによりレンズホルダー４のフォーカスコイル及びトラッキングコイルにそれぞれフォーカスエラー信号及びトラッキングエラー信号を供給することが出来る。
【００２０】
ところで、光学ハウジング３には光学ヘッド装置が搭載される機器本体の回路基板（図示せず）と電気信号の授受を行う為の伝送ケーブル９が接続されるコネクタ１０が設置されたメインプリント基板１１がトラッキング方向と略直交する光学ハウジング３の側面に取り付け固定される。
【００２１】
前記メインプリント基板１１には、レーザーダイオード１２のリード端子１２ａ〜１２ｃがハンダ付け接続されるようになっている。このレーザーダイオード１２は図２においては便宜上メインプリント基板１１を光学ハウジング３に取り付ける前の状態でメインプリント基板１１に設置するように示されているが、先にレーザーダイオード１２を光学ハウジング３に位置調整して取り付け、その状態でレーザーダイオード１２のリード端子１２ａ〜１２ｃがメインプリント基板１１の孔から突出されて図１に示すようにメインプリント基板１１は光学ハウジング３に配置される。この場合、メインプリント基板１１に形成された切り欠き２０に光学ハウジング３の突片１３ａが挿入されると共に、光学ハウジ
ング３に形成された鉤状突起１３ｂにメインプリント基板１１が挟まれるように位置決めされてメインプリント基板１１を光学ハウジング３に設置する。
【００２２】
また、支持板７には前記メインプリント基板１１と継ぎ合わされる継ぎ手部１４が一体的に形成されているので、この継ぎ手部１４の先端の係合部１４ａをメインプリント基板１１に形成された被係合部となるスリット１５に厚み方向に交差させて挟み込むように挿入して係合させる。
【００２３】
このようにしてメインプリント基板１１は光学ハウジング３に設置したら、メインプリント基板１１を光学ハウジング３にネジ止めにより固定する。
【００２４】
メインプリント基板１１を光学ハウジング３に固定した状態において、継ぎ手部１４の係合部１４ａに形成された各ランド１６ａ〜１６ｄとメインプリント基板１１のスリット１５に隣接して形成された各ランド１７ａ〜１７ｄとをそれぞれ対応する同士でハンダ付けし、メインプリント基板１１と支持板７とを接続する。
【００２５】
この接続によりコネクタ１０に繋がれた伝送ケーブル９を介して機器本体の回路基板と支持板７とが電気的に接続され、機器本体の回路基板から伝送ケーブル９を介して供給されるフォーカスエラー信号及びトラッキングエラー信号がメインプリント基板１１及び支持板７を介してそれぞれフォーカスコイル及びトラッキングコイルに供給されるようになる。
【００２６】
ところで、光学ヘッド装置は、トラッキング方向にスレッド送りされるようになっており、スレッド送りされると、伝送ケーブル９が変位することに伴ってメインプリント基板１１に振動が伝達されるが、メインプリント基板１１にはレーザーダイオード１２のリード端子１２ａ〜１２ｃがハンダ付けにより接続されるメインプリント基板のレーザー領域１１ａを囲うように一部に連結部を残して貫通溝１８を形成し、前記レーザー領域１１ａとメインプリント基板１１の伝送ケーブル９の接続部分となるコネクタ１０が配置される接続領域とが前記貫通溝１８を挟んで分離されている。
【００２７】
その為、伝送ケーブル９が変位することに伴ってメインプリント基板１１に伝達される振動が前記貫通溝１８によって分断され、前記振動によるレーザーダイオード１２への影響が大幅に軽減される。
【図面の簡単な説明】
【００２８】
【図１】本発明に係る光学ヘッド装置の組み立て完了状態を示す斜視図である。
【図２】図１に示す光学ヘッド装置の組み立て途中の状態を示す一部展開斜視図である。
【符号の説明】
【００２９】
１        対物レンズ駆動装置
２        対物レンズ
３        光学ハウジング
４        レンズホルダー
５        支持ワイヤー
６        アクチュエータベース
７        支持板
８ａ，８ｂ，８ｃ，８ｄ        配線パターン
９        伝送ケーブル
１０        コネクタ
１１        メインプリント基板
１２        レーザーダイオード
１４        継ぎ手部
１４ａ      係合部
１５        スリット（被係合部）
１６ａ〜１６ｄ        係合部１４ａのランド
１７ａ〜１７ｄ        メインプリント基板１１のランド
１８        貫通溝
【図１】
2005166137.tif 000003
【図２】
2005166137.tif 000004